(57)【要約】【課題】十分な押圧力で良好にエンボス加工を施すことが可能な衛生用紙の折り畳み加工装置を提供する。【解決手段】本発明の折り畳み加工装置１００は、複数の原反ロール１２を個々に支持する複数の原反ロール支持部１１と、原反ロール支持部１１に支持された原反ロール１２から繰り出された複数の衛生用紙連続体３１を案内し、衛生用紙連続体３１を折り畳みながら積層する折り畳み積層部２１とを備え、折り畳み積層部２１は、衛生用紙連続体３１を所定の方向に案内するフィードロール２２と、衛生用紙連続体３１を延伸するドローロール２３と、衛生用紙連続体２２を折り畳む折り板２４とを有し、原反ロール１２の数に応じて配置された複数のドローロール２３のうち、少なくとも一つのドローロール２３は、その表面に、衛生用紙連続体３１にエンボス加工２７を施すためのエンボス加工用凹凸２６が形成されている。【選択図】図２
2011121764.tif 000002
【特許請求の範囲】
【請求項１】
複数の原反ロールを個々に支持する複数の原反ロール支持部と、前記原反ロール支持部に支持された前記原反ロールから繰り出された複数の衛生用紙連続体を案内し、前記衛生用紙連続体を折り畳みながら積層する折り畳み積層部と、を備えた衛生用紙の折り畳み加工装置であって、
前記折り畳み積層部は、それぞれの前記原反ロールから繰り出されたそれぞれの前記衛生用紙連続体を所定の方向に案内するフィードロールと、前記フィードロールによって案内されたそれぞれの前記衛生用紙連続体を延伸するドローロールと、前記ドローロールによって延伸されたそれぞれの前記衛生用紙連続体を折り畳む折り板と、を複数の前記原反ロール支持部から繰り出される前記原反ロールの数に応じてそれぞれ有し、
前記原反ロールの数に応じて配置された複数の前記ドローロールのうち、少なくとも一つのドローロールは、その表面に、前記衛生用紙連続体にエンボス加工を施すためのエンボス加工用凹凸が形成されたものである衛生用紙の折り畳み加工装置。
【請求項２】
前記原反ロールの数に応じて配置された複数の前記ドローロールの全てが、前記エンボス加工用凹凸が形成されたものである請求項１に記載の衛生用紙の折り畳み加工装置。
【請求項３】
前記エンボス加工用凹凸が形成された前記ドローロールのうち、少なくとも一のドローロールのエンボスパターンと、他のドローロールのエンボスパターンとが異なるように構成された請求項１又は２に記載の衛生用紙の折り畳み加工装置。
【請求項４】
前記ドローロールは、前記衛生用紙連続体の表面と裏面とをそれぞれ押圧する一対のロールによって構成されたものである請求項１〜３のいずれか一項に記載の衛生用紙の折り畳み加工装置。
【請求項５】
前記ドローロールを構成する一対のロールのうち、一方のロールが、ゴム製のロールである請求項４に記載の衛生用紙の折り畳み加工装置。
【請求項６】
前記エンボス加工用凹凸は、前記衛生用紙連続体の表面全体、又は前記衛生用紙連続体の表面の一部にエンボス加工を施すものである請求項１〜５のいずれか一項に記載の衛生用紙の折り畳み加工装置。
【請求項７】
前記ドローロールのエンボスパターンが、積層された衛生用紙の消費状態を示す情報を刻印するものである請求項１〜６のいずれか一項に記載の衛生用紙の折り畳み加工装置。
【発明の詳細な説明】
【技術分野】
【０００１】
本発明は、衛生用紙の折り畳み加工装置に関する。更に詳しくは、ティシュペーパーやペーパータオル等のように、複数組の衛生用紙が折り畳まれて積層された衛生用紙の積層体を作製するための衛生用紙の折り畳み加工装置に関する。
【背景技術】
【０００２】
ティシュペーパーやペーパータオル等の衛生用紙は、複数組の衛生用紙が折り畳まれて積層された衛生用紙の積層体（以下、「折り畳み衛生用紙」と記す。）をカートンや樹脂フィルムにより包装した包装体の形態で市販されることが多い。
【０００３】
このような包装体は、例えば、ロータリーシリンダー式インターフォルダ、折り板式インターフォルダ等の折り畳み加工機を用いて、複数組の衛生用紙を折り畳み、積層して折り畳み衛生用紙を形成し、この折り畳み衛生用紙をカートン包装し、又はフィルム包装する等の方法により製造することができる。
【０００４】
例えば、抄紙装置において薄葉紙を抄造し、これを巻き取り一次原反ロール（一般にジャンボロールともいわれている）を製造し、その後、この一次原反ロールをプライマシンにセットし、複数の一次原反ロールから繰り出した一次連続シートを重ね合わせて巻き取るとともに輪切り（幅方向に複数に分割）にし、複数枚のプライからなる二次原反ロールを製造する。
【０００５】
プライマシンで製造した二次原反ロールは、例えば、プライマシンから取り出された後、インターフォルダにセットされ、二次原反ロールから繰り出した二次連続シートを幅方向に複数に分割して、製品ティシュ幅と同幅の複数の三次連続シートを作製し、この複数の三次連続シートを折り畳みながら積み重ねる。インターフォルダで製造した折り畳み積層物は、その後、長手方向に所定の間隔をおいて裁断され、箱詰め、包装等の処理を経て製品となる（例えば、特許文献１及び２参照）。
【０００６】
また、このような連続シートが積層されたプライは、エンボス加工により相互が接合され、使用に際して離れないようになっている。このため前述のようなプライマシンとインターフォルダとを個別に備えた従来設備では、例えば、プライマシンにおいてプライ原反を重ね合わせてから巻き取りまでの間に、エンボスロールによってエンボス加工を行っていた。
【０００７】
また、プライマシンにおける処理速度はインターフォルダと比べて速いため、プライマシンにてエンボス加工を施すと、エンボス加工を均一に行うことができず、プライが剥れてしまったり、エンボス加工を施した部分に、裂けや断紙が発生し易くなったり、更には、プライボンディング（重ね合わせ接合）が不安定になったりすることがある。このため、例えば、プライマシンにてエンボス加工を施すのではなく、インターフォルダにおいて折り畳みに先立ってエンボス加工を施すティシュペーパーの製造設備も提案されている（例えば、特許文献３参照）。
【先行技術文献】
【特許文献】
【０００８】
【特許文献１】特開２００６−２４０７５０号公報
【特許文献２】特許第３６２８９８０号公報
【特許文献３】特開２００２−３４７１４６号公報
【発明の概要】
【発明が解決しようとする課題】
【０００９】
しかしながら、特許文献３に示すティシュペーパーの製造設備においては、インターフォルダ内にエンボス加工を施すためのエンボスロール（エンボス接合手段）を別途配設する必要があり、製造設備が大型化するという問題があった。
【００１０】
更に、特許文献３においては、原反ロールが折り畳み機構部に導入される前の、直線状に繰り出されている領域にてエンボスロールが配設されているが、このような構成では、エンボスロールの押圧力が十分に得られずに、原反ロールに対して十分なエンボス加工を施すことができないという問題もあった。また、エンボス加工が施された原反ロールは、その後、更に折り畳み機構部内の案内ロール等によって所定の方向に案内されながら積層されることとなるが、この折り畳み機構部内でエンボス加工が潰れてしまう、即ち、折り畳み機構部内の種々の案内ロールによって事前に施したエンボス加工が潰れてしまう、という問題もあった。
【００１１】
本発明は、前記のような従来技術が有する課題を解決するためになされたものであり、ティシュペーパーやペーパータオル等の複数組の衛生用紙が折り畳まれて積層された衛生用紙の積層体を作製するための折り畳み加工装置において、十分な押圧力で良好にエンボス加工を施すことが可能な衛生用紙の折り畳み加工装置を提供するものである。
【課題を解決するための手段】
【００１２】
本発明者らは上記課題を達成すべく鋭意検討した結果、衛生用紙を折り畳んで積層体とする折り畳み加工装置において、複数の衛生用紙を積層して折り畳む場合には、ドローロールによって衛生用紙の連続体を延伸し、衛生用紙の連続体を延伸した状態で折り板によって折り畳んでいるが、このドローロールを通過する際には、衛生用紙に大きなテンション（張力）が加わるため、このドローロールにエンボス加工用の凹凸を設けることによって、即ち、ドローロールをエンボス加工のエンボスロールとして併用することによって、別途エンボス接合手段等を設けずとも、上記課題を解決可能であることを見出し、本発明を完成するに至った。即ち、本発明によれば、以下の衛生用紙の折り畳み加工装置が提供される。
【００１３】
［１］  複数の原反ロールを個々に支持する複数の原反ロール支持部と、前記原反ロール支持部に支持された前記原反ロールから繰り出された複数の衛生用紙連続体を案内し、前記衛生用紙連続体を折り畳みながら積層する折り畳み積層部と、を備えた衛生用紙の折り畳み加工装置であって、前記折り畳み積層部は、それぞれの前記原反ロールから繰り出されたそれぞれの前記衛生用紙連続体を所定の方向に案内するフィードロールと、前記フィードロールによって案内されたそれぞれの前記衛生用紙連続体を延伸するドローロールと、前記ドローロールによって延伸されたそれぞれの前記衛生用紙連続体を折り畳む折り板と、を複数の前記原反ロール支持部から繰り出される前記原反ロールの数に応じてそれぞれ有し、前記原反ロールの数に応じて配置された複数の前記ドローロールのうち、少なくとも一つのドローロールは、その表面に、前記衛生用紙連続体にエンボス加工を施すためのエンボス加工用凹凸が形成されたものである衛生用紙の折り畳み加工装置。
【００１４】
［２］  前記原反ロールの数に応じて配置された複数の前記ドローロールの全てが、前記エンボス加工用凹凸が形成されたものである前記［１］に記載の衛生用紙の折り畳み加工装置。
【００１５】
［３］  前記エンボス加工用凹凸が形成された前記ドローロールのうち、少なくとも一のドローロールのエンボスパターンと、他のドローロールのエンボスパターンとが異なるように構成された前記［１］又は［２］に記載の衛生用紙の折り畳み加工装置。
【００１６】
［４］  前記ドローロールは、前記衛生用紙連続体の表面と裏面とをそれぞれ押圧する一対のロールによって構成されたものである前記［１］〜［３］のいずれかに記載の衛生用紙の折り畳み加工装置。
【００１７】
［５］  前記ドローロールを構成する一対のロールのうち、一方のロールが、ゴム製のロールである前記［４］に記載の衛生用紙の折り畳み加工装置。
【００１８】
［６］  前記エンボス加工用凹凸は、前記衛生用紙連続体の表面全体、又は前記衛生用紙連続体の表面の一部にエンボス加工を施すものである前記［１］〜［５］のいずれかに記載の衛生用紙の折り畳み加工装置。
【００１９】
［７］  前記ドローロールのエンボスパターンが、積層された衛生用紙の消費状態を示す情報を刻印するものである前記［１］〜［６］のいずれかに記載の衛生用紙の折り畳み加工装置。
【発明の効果】
【００２０】
本発明の衛生用紙の折り畳み加工装置は、ティシュペーパーやペーパータオル等の複数組の衛生用紙が折り畳まれて積層された衛生用紙の積層体を作製するための折り畳み加工装置のドローロールにて、衛生用紙にエンボス加工を良好に施すことができる。このため、衛生用紙にエンボス加工を施すためのエンボス接合手段等を必要とせず、既存の装置の大きさを変更することなく、衛生用紙にエンボス加工が施された折り畳み衛生用紙を製造することができる。
【００２１】
また、ドローロールには、衛生用紙が通過する際に、特段の押圧力を加えずとも大きなテンション（張力）が加わるため、十分な押圧力でエンボス加工を施すことができる。また、ドローロールにて衛生用紙にエンボス加工を施すため、衛生用紙を積層する直前にエンボス加工を施すことができ、施されたエンボス加工が、別の案内ロール等を通過する際に潰れてしまうことを有効に防止することができる。
【００２２】
また、このようなドローロールは、積層する原反ロール毎にそれぞれ配置されているため、積層する原反ロールの位置、例えば、積層枚数に対して最後の１０％に相当する部分において、エンボス加工の種類を変えることによって、衛生用紙の消費状態を判別可能にするなど、施すエンボスによって種々の情報を消費者に伝達することも可能となる。
【図面の簡単な説明】
【００２３】
【図１】本発明の衛生用紙の折り畳み加工装置の一の実施形態を模式的に示す側面図である。
【図２】図１に示す衛生用紙の折り畳み加工装置の折り畳み積層部を拡大して模式的に示す斜視図である。
【図３】図２に示す折り畳み積層部のドローロールを拡大して模式的に示す斜視図である。
【発明を実施するための形態】
【００２４】
以下、本発明の衛生用紙の折り畳み加工装置を実施するための形態について、ティシュペーパーの積層体を製造する折り畳み加工装置の例により図面を参照しながら具体的に説明する。但し、本発明はその発明特定事項を備える折り畳み加工装置を広く包含するものであり、以下の実施形態に限定されるものではない。
【００２５】
［１］本発明の衛生用紙の折り畳み加工装置の特徴：
図１は、本発明の衛生用紙の折り畳み加工装置の一の実施形態を模式的に示す側面図である。図２は、図１に示す衛生用紙の折り畳み加工装置の折り畳み積層部を拡大して模式的に示す斜視図である。図３は、図２に示す折り畳み積層部のドローロールを拡大して模式的に示す斜視図である。
【００２６】
図１〜図３に示すように、本実施形態の衛生用紙の折り畳み加工装置１００は、原反ロール１２の数に応じて配置された複数のドローロール２３のうち、少なくとも一つのドローロール２３は、その表面に、衛生用紙連続体３１にエンボス加工２７を施すためのエンボス加工用凹凸２６が形成されたものであるという特徴がある。
【００２７】
このように、ドローロールの表面にエンボス加工を施すためのエンボス加工用凹凸が形成されることによって、ティシュペーパーやペーパータオル等の複数組の衛生用紙が折り畳まれて積層された衛生用紙の積層体を作製するための折り畳み加工装置のドローロールにて、衛生用紙にエンボス加工を施すことができる。このため、衛生用紙にエンボス加工を施すためのエンボス接合手段等を別途必要とせず、既存の装置の大きさを変更することなく、衛生用紙にエンボス加工が施された折り畳み衛生用紙を製造することができる。
【００２８】
また、ドローロールには、衛生用紙が通過する際に、特段の押圧力を加えずとも大きなテンション（張力）が加わるため、十分な押圧力でエンボス加工を施すことができる。また、ドローロールにて衛生用紙にエンボス加工を施すため、衛生用紙を積層する直前にエンボス加工を施すことができ、施されたエンボス加工が、別の案内ロール（フィードロール）等を通過する際に潰れてしまうことを有効に防止することができる。
【００２９】
即ち、従来の衛生用紙の折り畳み加工装置においては、インターフォルダ内や、インターフォルダから折り畳み加工装置に衛生用紙が導入されるまでの間に、別途エンボス加工を施すためのエンボス接合手段を設けたものであったが、本実施形態の衛生用紙の折り畳み加工装置においては、ドローロールにてエンボス加工を良好に施すことができる。
【００３０】
また、詳しくは後述するが、このようなドローロールは、積層する原反ロール毎にそれぞれ配置されているため、積層する原反ロールの位置、例えば、積層枚数に対して最後の１０％に相当する部分において、エンボス加工の種類を変えることによって、衛生用紙の消費状態を判別可能にするなど、施すエンボスによって種々の情報を消費者に伝達することも可能となる。
【００３１】
［２］本発明の衛生用紙の折り畳み加工装置の構成：
本実施形態の衛生用紙の折り畳み加工装置は、図１〜図３に示すように、複数の原反ロール１２を個々に支持する複数の原反ロール支持部１１と、原反ロール支持部１１に支持された原反ロール１２から繰り出された複数の衛生用紙連続体３１を案内し、衛生用紙連続体３１を折り畳みながら積層する折り畳み積層部２１と、を備えた衛生用紙の折り畳み加工装置１００である。このような折り畳み加工装置１００は、例えば、包装業界でインターフォルダ等とも呼称されている折り畳み加工機であり、複数組の衛生用紙連続体３１を折り畳み、積層して折り畳み衛生用紙連続体３２を形成し、折り畳み衛生用紙連続体３２を長手方向に所定の間隔をおいて裁断して折り畳み衛生用紙３３（折り畳み衛生用紙の積層体）を形成するものである。
【００３２】
上記した折り畳み積層部においては、例えば、二枚一組として構成された衛生用紙連続体３１（以下、一組の衛生用紙連続体ということがある）を折り返し、その折り返された衛生用紙連続体３１の間に他の一組の衛生用紙連続体を挟み込み、更に、他の一組の衛生用紙連続体を折り返すという操作を繰り返して、折り畳み衛生用紙の積層体を形成することができる。
【００３３】
前記のように、折り返された衛生用紙連続体の間に他の衛生用紙連続体を挟み込む折り畳み方法を採用することで、最上位の衛生用紙が取り出されると、これに伴ってその直下に位置する衛生用紙が引き出され、衛生用紙を順次取出すことが可能な折り畳み衛生用紙を形成することができる（いわゆるポップアップ方式）。
【００３４】
そして、図１〜図３に示すように、本実施形態の衛生用紙の折り畳み加工装置１００は、折り畳み積層部２１のドローロール２３を通過する際に、ドローロール２３のエンボス加工用凹凸２６によって、衛生用紙連続体３１にエンボス加工２７を施すことができる。
【００３５】
なお、本実施形態の衛生用紙の折り畳み加工装置は、上述したドローロールにエンボス加工用凹凸が形成されていること以外は、従来公知の衛生用紙の折り畳み加工装置（例えば、折り板式インターフォルダー）等の構成を採用することができる。以下、本実施形態の衛生用紙の折り畳み加工装置の各構成要素について更に具体的に説明する。
【００３６】
［２−１］原反ロール支持部：
原反ロール支持部は、複数の原反ロールを個々に支持するためのものであり、本実施形態の衛生用紙の折り畳み加工装置は、使用する原反ロールの数に応じて（即ち、折り畳み衛生用紙の積層枚数に応じて）複数の原反ロール支持部を備えている。例えば、二枚一組の衛生用紙のプライを、２００組積層して折り畳み衛生用紙を製造する装置の場合には、合計４００個の原反ロール支持部を備えることとなる。なお、図１においては、一組となる二つの原反ロール１２を、一つの原反ロール支持部１１にて支持する場合の例を示している。
【００３７】
上記原反ロールは、例えば、抄紙装置において薄葉紙を抄造された一次原反ロールを用いてもよいし、例えば、図示は省略するが、プライマシンによって、複数の一次原反ロールから繰り出した衛生用紙の連続体を重ね合わせて巻き取り、複数枚の衛生用紙の連続体が重ね合わされたプライからなる二次原反ロールを用いてもよい。図１においては、原反ロール１２として、製品の幅と同幅となるように幅方向に裁断された原反ロールが用いられている。
【００３８】
「衛生用紙」の種類について特に制限はなく従来公知の衛生用紙を用いることができる。例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００３９】
「衛生用紙」の坪量も特に制限されるものではない。例えば、ティシュペーパー用途であれば、坪量１０〜１８ｇ／ｍ２に抄紙されたものを好適に用いることができる。
【００４０】
なお、「衛生用紙」とは、一枚の衛生用紙からなるものの他、上述したように複数枚の衛生用紙が積層されて一組となったマルチプライ衛生用紙（一組の衛生用紙）も含まれることを意味する。「一組の衛生用紙」を構成する衛生用紙の枚数は特に限定されないが、通常は二枚であり、三枚以上であってもよい。図１においては、二つの原反ロール１２から繰り出された衛生用紙連続体３１を二枚積層して、二枚一組の衛生用紙積層体を作製する折り畳み加工装置１００の例を示している。
【００４１】
原反ロール支持部は、衛生用紙積層体がロール状に巻き取られた原反ロールの捲回軸を支持し、原反ロールを捲回方向に回転させながら、順次、衛生用紙積層体を繰り出すように構成された軸状のものである。なお、このような原反ロール支持部は、従来公知の衛生用紙の折り畳み加工装置の原反ロール支持部と同様に構成されたものを用いることができる。
【００４２】
［２−２］折り畳み積層部：
折り畳み積層部は、原反ロール支持部に支持された原反ロールから繰り出された複数の衛生用紙連続体を案内し、衛生用紙連続体を折り畳みながら積層するものである。この折り畳み積層部は、衛生用紙連続体を所定の方向に案内するフィードロールと、衛生用紙連続体を延伸するドローロールと、衛生用紙連続体を折り畳む折り板と、を複数の原反ロール支持部から繰り出される原反ロールの数に応じてそれぞれ有している。なお、図１に示す折り畳み積層部２１は、折り畳んだ衛生用紙（折り畳み衛生用紙連続体３２）を搬送するベルトコンベア４４、及び折り畳んだ衛生用紙を積層した折り畳み衛生用紙連続体３２を、カートン（角筒状カートン３４）等に包装可能な大きさに切断するための丸刃ソーを備えたカッター２５を更に有している。なお、上記ベルトコンベア４４は、駆動ロール３８、従動ロール４０及び無限軌道ベルト４２によって構成されている。なお、「原反ロールの数に応じてそれぞれ有している」とは、衛生用紙連続体を折り畳みながら積層する折り畳みライン毎に、フィードロールと、ドローロールと、折り板とが、折り畳みに必要な個数それぞれ配置されていることを意味する。例えば、衛生用紙連続体が二枚一組となる場合には、原反ロールの数の半数の折り畳みラインが形成され、この折り畳みライン毎に、必要な個数の各構成要素がそれぞれ配置される。
【００４３】
［２−２ａ］フィードロール：
フィードロールは、図１に示すように、それぞれの原反ロール１２から繰り出されたそれぞれの衛生用紙連続体３１を所定の方向に案内するロールである。即ち、このフィードロール２２は、繰り出された衛生用紙連続体３１の進行方向を変更させながら、所定の方向に案内（供給）し、原反ロール１２から繰り出された複数の衛生用紙連続体３１をベルトコンベア４４上に整列させるためのロールである。
【００４４】
例えば、図１に示す衛生用紙の折り畳み加工装置１００においては、原反ロール１２から紙面上方から下方に向けてそれぞれ繰り出された衛生用紙連続体３１の繰出方向を変化させる第一フィードロール２２ａと、二枚の衛生用紙連続体３１を重ね合わせるように積層するために、二枚の衛生用紙連続体３１が接触するように方向を指示する第二フィードロール２２ｂとから構成されている。
【００４５】
なお、このようなフィードロールは、原反ロールから繰り出される衛生用紙連続体の進行方向と、複数の衛生用紙連続体を折り畳み積層させた積層体の搬送方向（例えば、ベルトコンベア４４の進行方向）に応じて、適宜、そのロールの本数、案内の角度等を設定することができる。
【００４６】
フィードロールとしては、衛生用紙連続体を所定の方向に案内する際に抵抗が少ないように、即ち、衛生用紙連続体とフィードロールとの摩擦が小さくなるように、その表面が滑らかな円柱状のロールを好適に用いることができる。フィードロールの材質については特に制限はなく、例えば、金属性のロール等を好適に用いることができる。
【００４７】
［２−２ｂ］ドローロール：
ドローロールは、フィードロールによって案内されたそれぞれの衛生用紙連続体を延伸するためのロールである。即ち、このドローロールは、案内された衛生用紙連続体を折り板によって折り畳む際に、衛生用紙連続体に弛み等ができないように、衛生用紙連続体を引っ張るためのロールである。
【００４８】
例えば、図１に示す衛生用紙の折り畳み加工装置１００においては、フィードロール２２によって案内された衛生用紙連続体３１の進行方向を、ドローロール２３によって約１６０°の角度で反転させることにより、衛生用紙連続体３１にテンション（張力）を掛け、衛生用紙連続体３１を延伸させている。
【００４９】
そして、本実施形態の衛生用紙の折り畳み加工装置においては、図２及び図３に示すように、原反ロール１２（図１参照）の数に応じて配置された複数のドローロール２３のうち、少なくとも一つのドローロール２３が、その表面に、衛生用紙連続体３１にエンボス加工２７を施すためのエンボス加工用凹凸２６が形成されたものである。
【００５０】
なお、このドローロールは、上記したように衛生用紙連続体を延伸するためのロールであるため、フィードロールによって案内された衛生用紙連続体の進行方向を、９０°以上の角度で反転させるロールであることが好ましく、１３０°〜１８０°の角度で反転させるロールであることが更に好ましく、１５０°〜１８０°の角度で反転させるロールであることが特に好ましい。例えば、９０°未満では、衛生用紙連続体に十分なテンションが掛からず、エンボス加工用凹凸によって十分なエンボス加工を施すことができないことがある。更に、１３０°以上、より更に１５０°以上であれば、ドローロールを介して衛生用紙連続体を延伸する際に、エンボス加工用凹凸によって良好にエンボス加工を施すことができる。
【００５１】
また、図２及び図３に示すように、ドローロール２３は、衛生用紙連続体３１の表面と裏面とをそれぞれ押圧する一対のロールによって構成されたものであることが好ましい。このように構成することによって、一対のロール（ドローロール２３ａ，２３ｂ）によって衛生用紙連続体３１を挟み込み、衛生用紙連続体３１に良好にエンボス加工２７を施すことができる。
【００５２】
また、例えば、ドローロールを構成する一対のロールのうち、一方のロールが、ゴム製のロールであってもよい。即ち、ドローロールが一対のロールである場合には、エンボス加工を施すためのエンボス加工用凹凸が形成されたドローロールと、このドローロールのエンボス加工用凹凸を押し付けるための弾性を有するゴム製のロールとの組み合わせにすることによって、衛生用紙連続体にエンボス加工用凹凸を良好に刻印することができる。なお、一方のロールがゴム製のロールの場合には、他方のロール（ドローロール）がエンボス加工用凹凸を有していれば、ゴム製のロールに凹凸は形成されていなくともよい。勿論、ゴム製のロールについても、例えば、他方のロールの反転形状に対応した凹凸が形成されていてもよい。
【００５３】
なお、上記した他方のロール（即ち、少なくともエンボス加工用凹凸を有するドローロール）は、例えば、金属性のドローロールであることが好ましい。また、ドローロールを構成する一対のロールの両方を、このような金属性のドローロールによって形成してもよい。一対のロール（ドローロール）が金属性の場合には、一方のロールと他方のロールとで、エンボス加工用凹凸の凹凸形状が反転形状となっていることが好ましい。
【００５４】
エンボス加工用凹凸の大きさ（凹凸高さ）については特に制限はなく、供給される衛生用紙連続体の厚さや、衛生用紙連続体に施すエンボス加工の程度（例えば、押圧する強さ）等に応じて適宜選択することができる。
【００５５】
また、本実施形態の衛生用紙の折り畳み加工装置においては、原反ロールの数に応じて配置された複数のドローロールの全てが、エンボス加工用凹凸が形成されたものであってもよいし、一部のドローロールにエンボス加工用凹凸が形成されたものであってもよい。即ち、全てのドローロールに対してエンボス加工用凹凸が形成されていれば、積層する衛生用紙の全てにエンボス加工を施すことができるが、例えば、ドローロールのエンボスパターンが、積層された衛生用紙の消費状態を示す情報を刻印する等のための場合には、エンボス加工が必要なドローロールに対してエンボス加工用凹凸を形成することもできる。
【００５６】
例えば、積層された衛生用紙の消費状態としては、積層された衛生用紙（プライ）の５０％使用時、７０％使用時、残り１０％等の段階で、特定のエンボスパターンの衛生用紙が現れるようにすることによって、衛生用紙（例えば、衛生用紙を収納したカートン）を使用する消費者に対して、衛生用紙の消費状態を知らせることができ、カートンの交換や、新たにカートンを購入する際の目安を示すことができる。
【００５７】
また、全てのドローロールに対してエンボス加工用凹凸を形成する場合であっても、ドローロール毎にエンボスパターンを異なるものとすることによって、消費状態を示すことも可能である。また、複数のキャラクターや図案等を、ドローロール毎にエンボス加工用凹凸によって刻印することによって、使用者に対して喜びや新鮮さを与えることができる。例えば、複数種類の花柄や漫画やアニメの登場人物が、ランダムで衛生用紙に刻印されるように、ドローロール毎にエンボスパターンを異ならせ、衛生用紙の積層体を製造するように構成されたものであってもよい。なお、ここに言う「キャラクター」とは、漫画やアニメの登場人物、動物等のキャラクターに限られず、文字、図形、記号等であってもよい。
【００５８】
なお、エンボス加工用凹凸は、衛生用紙連続体の表面全体にエンボス加工を施すものであってもよいし、衛生用紙連続体の表面の一部にエンボス加工を施すものであってもよい。即ち、本実施形態の衛生用紙の折り畳み加工装置においては、少なくとも一のドローロールによってエンボス加工を施すことができるものであれば、エンボス加工の大きさや種類は特に制限はない。
【００５９】
例えば、二枚以上の衛生用紙連続体を重ね合わせて、一組のプライを形成する際に、この二枚以上の衛生用紙の剥れ防止するために、その端部に、「クリッパ」と呼称されているエンボス加工を施すことがあるが、本実施形態の衛生用紙の折り畳み加工装置においては、ドローロールのエンボス加工によって、上記「クリッパ」を形成することもできる。また、予め「クリッパ」が形成されたプライであっても、クリッパのエンボス加工が十分でない場合には、プライを構成する二枚以上の衛生用紙が剥れてしまうことがあるが、ドローロールのエンボス加工が更に行われるため、プライの剥れを良好に防止することができる。
【００６０】
［２−２ｃ］折り板：
折り板は、衛生用紙連続体の組数に応じて配設され、衛生用紙連続体を折り畳んで、長尺の折り畳み衛生用紙連続体を形成するものである。折り板の構成については特に制限はなく、例えば、ロータリーシリンダー式インターフォルダ、折り板式インターフォルダ等の従来公知の折り畳み加工機に用いられている折り板と同様に構成されたものを好適に用いることができる。
【００６１】
なお、折り畳みの形態としては、例えば、二つ折り繰り返し構造（Ｃホールド）の他、三つ折り繰り返し構造（Ｚ折り構造）又はこれらを組み合わせた繰り返し構造等を挙げることができる。
【００６２】
例えば、折り板式インターフォルダ（「マルチスタンド式インターフォルダ」とも称される。）は、折り畳み衛生用紙を構成する衛生用紙の組数に応じた長尺衛生用紙供給ロール及び折り板を備えた折り畳み加工機である（例えば、特許第３６５３４８１号公報、特開２００６−２４０７５０号公報等を参照。）。
【００６３】
［２−２ｄ］カッター：
図１に示す本実施形態の衛生用紙の折り畳み加工装置１００は、このようにして積層した折り畳み衛生用紙３２を、カートン等（角筒状カートン３４）に包装可能な大きさに切断するためのカッター２５を備えている。
【００６４】
なお、このようなカッターは、積層した折り畳み衛生用紙を所定の長さで連続的に切断することができるものであれば、その構成について特に制限はない。例えば、丸刃又はバンドソー等の従来公知の切断刃を備えたカッターにより切り分けるものを好適例として挙げることができる。より具体的には、マルチブレードソー、丸刃ソー、テーブル式マルチブレードソー等を好適に用いることができる。刃の厚さとしては、２〜１０ｍｍのものが好適に用いられる。図１に示す例では、丸刃ソーを備えたカッター２５により、長尺の折り畳み衛生用紙連続体３２の切断を行っている。
【００６５】
［２−３］包装手段：
また、本実施形態の衛生用紙の折り畳み加工装置は、図１に示すように、折り畳み衛生用紙３３を包装して折り畳み衛生用紙包装体を得るための包装手段を更に有していてもよい。図１には、折り畳み衛生用紙３３をカートン包装する例が示されており、予め角筒状に組み立てられたカートン（角筒状カートン３４）の内部空間に、折り畳み衛生用紙３３を挿入する包装手段を備えた例が示されている。この後、角筒状カートン３４の開口部を閉塞することで包装（箱詰め）が完了し、折り畳み衛生用紙包装体（カートン入りティシュ）を得ることができる。
【００６６】
折り畳み衛生用紙をフィルム包装する場合には、１）包装フィルムとなる長尺の樹脂フィルム（ポリエチレンフィルム等）の長手方向に向かって、折り畳み衛生用紙を断続的に配置していき、２）その折り畳み衛生用紙を両側から前記樹脂フィルムで包み込み、３）前記樹脂フィルムの長手方向と直交する方向にヒートシールして前記折り畳み衛生用紙を個別に封入した後、４）ヒートシール部に沿って、前記折り畳み衛生用紙ごとに切り分ける、等の方法で形成することができる。このような方法により、フィルム包装された折り畳み衛生用紙包装体（例えば、ポケットティシュ、ペーパータオル等）を得ることができる。
【産業上の利用可能性】
【００６７】
本発明の衛生用紙の折り畳み加工装置は、ティシュペーパー、キッチンペーパー等のペーパータオル、シート状のトイレットペーパー、ワッティング（紙綿）等の衛生用紙が折り畳まれて積層された衛生用紙の積層体を製造する装置として利用することができる。
【符号の説明】
【００６８】
１１：原反ロール支持部、１２：原反ロール、２１：折り畳み積層部、２２：フィードロール、２２ａ：第一フィードロール、２２ｂ：第二フィードロール、２３：ドローロール、２４：折り板、２５：カッター、２６：エンボス加工用凹凸、２７：エンボス加工、３１衛生用紙連続体、３２：折り畳み衛生用紙連続体、３３：折り畳み衛生用紙、３４：角筒状カートン、３８：駆動ロール、４０：従動ロール、４２：無限軌道ベルト、４４：ベルトコンベア、１００：折り畳み加工装置（衛生用紙の折り畳み加工装置）。
【図１】
2011121764.tif 000003
【図２】
2011121764.tif 000004
【図３】
2011121764.tif 000005